(57)【要約】【課題】発熱部品による熱が他の電装品に悪影響を及ぼすのを防ぐことができる空気調和装置の室外機を提供する。【解決手段】空気調和装置の電装品ユニット５は、ケーシング２と、仕切板２６と、第１制御基板５１と、放熱フィン７とを備える。ケーシング２は、略直方体の形状を有する。仕切板２６は、ケーシング２の内部を送風室Ｓｑ２と機械室Ｓｑ１とに分割するように、略鉛直に延びている。第１制御基板５１は、機械室Ｓｑ１に設けられ、ケーシング２の略正面に沿って略鉛直方向に延びており、発熱部品を含む電装品が実装されている。放熱フィン７は、第１制御基板５１のうち発熱部品に近接して配置され、発熱部品により発せられた熱を放出する。そして、ケーシング２には、外気を取り入れるための外気取り込み用開口２２ａが、放熱フィン７に対応する位置より下部に形成されている。【選択図】図５
2010071534.tif 000002
【特許請求の範囲】
【請求項１】
略直方体の形状を有するケーシング（２）と、
前記ケーシング（２）の内部を送風室（Ｓｑ２）と機械室（Ｓｑ１）とに分割するように、略鉛直に延びる仕切板（２６）と、
前記機械室（Ｓｑ１）に設けられ、前記ケーシング（２）の略正面に沿って略鉛直方向に延びており、発熱部品を含む電装品が実装された制御基板（５１）と、
前記制御基板（５１）のうち前記発熱部品に近接して配置され、前記発熱部品により発せられた熱を放出するための放熱フィン（７）と、
を備え、
前記ケーシング（２）には、外気を取り入れるための第１開口（２２ａ）が、前記放熱フィン（７）に対応する位置より下部に形成されている、
空気調和装置の室外機（１）。
【請求項２】
前記機械室（Ｓｑ１）に配置される電磁誘導コイル（４５）、
を更に備え、
前記制御基板（５１）は、前記電磁誘導コイル（４５）を制御するためのコイル用制御基板である、
請求項１に記載の空気調和装置の室外機（１）。
【請求項３】
前記放熱フィン（７）は、前記機械室（Ｓｑ１）において前記ケーシング（２）の前端付近かつ側端付近に位置しており、
前記第１開口（２２ａ）は、前記機械室（Ｓｑ１）に対応する前記ケーシング（２）の部分の前端付近かつ側端付近に形成されている、
請求項１または２に記載の空気調和装置の室外機（１）。
【請求項４】
前記制御基板（５１）と前記ケーシング（２）の正面との間には、前記ケーシング（２）の正面に沿って略鉛直に延びる絶縁シート（６１）が設けられている、
請求項３に記載の空気調和装置の室外機（１）。
【請求項５】
前記仕切板（２６）の上部には、第２開口（２６ａ）が形成されており、
前記第２開口（２６ａ）には、前記機械室（Ｓｑ１）から前記送風室（Ｓｑ２）へと流れる空気が通過する、
請求項１〜４のいずれかに記載の空気調和装置の室外機（１）。
【請求項６】
前記ケーシング（２）は、前記放熱フィン（７）の下方に位置する配管カバー（２２ｃ）を有しており、
前記第１開口（２１ａ）は、前記配管カバー（２２ｃ）に形成されている、
請求項１〜５のいずれかに記載の空気調和装置の室外機（１）。
【発明の詳細な説明】
【技術分野】
【０００１】
本発明は、空気調和装置の室外機に関する。
【背景技術】
【０００２】
従来より、空気調和装置の室外機には、特許文献１に開示されているように、略直方体の形状を有するケーシングが、鉛直方向に延びる仕切板によって機械室と送風室とに分けられているものがある。送風室には、２つのファンが上下方向に並んで配置され、機械室には、圧縮機及び電装品ユニットが設置される。特に、機械室における電装品ユニットは、圧縮機の上方に設置される。そして、この電装品ユニットは、ファンモータや圧縮機用モータの制御回路を構成する電装品が実装されたモータ制御用基板や、各種配線が接続される端子台を有している。尚、モータ制御用基板は、仕切板に沿うようにして配置されている。
【特許文献１】特開２００８−１３８９４１号公報
【発明の開示】
【発明が解決しようとする課題】
【０００３】
ところで、近年の室外機には、上述したモータ制御用基板に加え、ファンや圧縮機以外の空気調和装置の構成機器を制御するための他制御用基板が更に設けられる場合がある。この他制御用基板には、発熱部品を含む電装品が実装されており、モータ制御用基板のように電装品ユニット内に設けられる。
【０００４】
しかしながら、ケーシング内部のスペースの都合上、他制御用基板は、既に述べたモータ制御用基板のように仕切板に沿って配置されるのではなく、ケーシングの正面に沿うようにして配置される場合がある。すると、他制御用基板に実装されている発熱部品によって発熱された熱が機械室内部にこもってしまい、他の電装品に悪影響を及ぼす恐れがある。
【０００５】
そこで、本発明は、発熱部品による熱が他の電装品に悪影響を及ぼすのを防ぐことができる空気調和装置の室外機の提供を目的とする。
【課題を解決するための手段】
【０００６】
発明１に係る空気調和装置の室外機は、ケーシングと、仕切板と、制御基板と、放熱フィンとを備える。ケーシングは、略直方体の形状を有する。仕切板は、ケーシングの内部を送風室と機械室とに分割するように、略鉛直に延びている。制御基板は、機械室に設けられ、ケーシングの略正面に沿って略鉛直方向に延びており、発熱部品を含む電装品が実装されている。放熱フィンは、制御基板のうち発熱部品に近接して配置され、発熱部品により発せられた熱を放出する。そして、ケーシングには、外気を取り入れるための第１開口が、放熱フィンに対応する位置より下部に形成されている。
【０００７】
この空気調和装置の室外機によると、発熱部品が実装された制御基板は、ケーシングの略正面に沿うようにして配置されており、放熱フィンは、発熱部品の近傍に配置されている。そして、ケーシングには、放熱フィンに対応する位置よりも低い高さ位置に第１開口が形成されている。これにより、発熱部品によって発せられた熱は、放熱フィンによって放熱されるが、この熱は、第１開口からケーシング内部に取り入れられた外気によって冷やされる。従って、放熱フィン付近の温度は外気によって下げられ、発熱部品により発せられた熱が制御基板上の他の電装品に悪影響を及ぼすのを防ぐことができる。
【０００８】
発明２に係る空気調和装置の室外機は、発明１に係る空気調和装置の室外機であって、機械室に配置される電磁誘導コイルを更に備える。制御基板は、電磁誘導コイルを制御するためのコイル用制御基板である。
【０００９】
この空気調和装置の室外機には、電磁誘導コイルが更に備えられており、電磁誘導コイルは、例えば冷媒を素早く加熱するのに用いられる。この場合、電磁誘導コイルは、常にオンしているのではなく、冷媒を加熱する際のみオンする。つまり、電磁誘導コイルの制御用基板であるコイル用制御基板に実装されている発熱部品は、常に発熱するわけではなく、該コイルがオンする場合にのみ発熱するようになる。従って、コイル用制御基板が、仕切板に沿ってではなくケーシングの正面に沿って配置されていても、コイル用制御基板に近接配置された放熱フィン及びケーシングの第１開口によって熱が機械室内部にこもるのを十分に防ぐことができる。
【００１０】
発明３に係る空気調和装置の室外機は、発明１または２に係る空気調和装置の室外機であって、放熱フィンは、機械室においてケーシングの前端付近かつ側端付近に位置している。そして、第１開口は、機械室に対応するケーシングの部分の前端付近かつ側端付近に形成されている。
【００１１】
この空気調和装置の室外機によると、放熱フィン及び第１開口は、共にケーシングにおける機械室の前端付近かつ側端付近に位置している。これにより、ケーシングにおける前端付近かつ側端付近に位置する第１開口からは外気が取り入れられ、この外気は、同じくケーシングにおける前端付近かつ側端付近に位置する放熱フィンに送られる。
【００１２】
発明４に係る空気調和装置の室外機は、発明３に係る空気調和装置の室外機であって、制御基板とケーシングの正面との間には、ケーシングの正面に沿って略鉛直に延びる絶縁シートが設けられている。
【００１３】
この空気調和装置の室外機によると、制御基板とケーシングの正面との間には絶縁シートが設けられているが、第１開口及び放熱フィンは、共にケーシングにおける機械室の前端付近かつ側端付近に位置しているため、外気は、絶縁シートにより妨げられることなくケーシング内に取り入られる。
【００１４】
発明５に係る空気調和装置の室外機は、発明１〜４のいずれかに係る空気調和装置の室外機であって、仕切板の上部には、第２開口が形成されている。この第２開口には、機械室から送風室へと流れる空気が通過する。
【００１５】
この空気調和装置の室外機によると、ケーシングの第１開口から取り入られた外気は、放熱フィンにより放熱された熱と混ざった後、仕切板の第２開口を通って送風室へと送られるようになる。
【００１６】
発明６に係る空気調和装置の室外機は、発明１〜５のいずれかに係る空気調和装置の室外機であって、ケーシングは、放熱フィンの下方に位置する配管カバーを有している。そして、第１開口は、配管カバーに形成されている。
【００１７】
この空気調和装置の室外機によると、外気は、配管カバーに形成された第１開口からケーシング内部に取り込まれるようになる。
【発明の効果】
【００１８】
発明１に係る空気調和装置の室外機によると、放熱フィン付近の温度は外気によって下げられ、発熱部品により発せられた熱が制御基板上の他の電装品に悪影響を及ぼすのを防ぐことができる。
【００１９】
発明２に係る空気調和装置の室外機によると、コイル用制御基板に近接配置された放熱フィン及びケーシングの第１開口によって熱が機械室内部にこもるのを十分に防ぐことができる。
【００２０】
発明３に係る空気調和装置の室外機によると、ケーシングにおける前端付近かつ側端付近に位置する第１開口から外気が取り入れられ、この外気は、同じくケーシングにおける前端付近かつ側端付近に位置する放熱フィンに送られる。
【００２１】
発明４に係る空気調和装置の室外機によると、外気は、絶縁シートにより妨げられることなくケーシング内に取り入られる。
【００２２】
発明５に係る空気調和装置の室外機によると、ケーシングの第１開口から取り入られた外気は、放熱フィンにより放熱された熱と混ざった後、仕切板の第２開口を通って送風室へと送られるようになる。
【００２３】
発明６に係る空気調和装置の室外機によると、外気は、配管カバーに形成された第１開口からケーシング内部に取り込まれるようになる。
【発明を実施するための最良の形態】
【００２４】
以下、本発明に係る空気調和装置の室外機について、図面を用いて詳細に説明する。
【００２５】
（１）空気調和装置の室外機の構成
図１は、本発明の一実施形態に係る空気調和装置の室外機１の外観斜視図である。図２は、図１の室外機１の分解斜視図である。図３は、室外機１におけるケーシング２の右前板２２、右側板２３、背面グリル２４及び天板２５が取り除かれた状態の、室外機１の斜視図である。この室外機１は、室外に設置されており、室内の壁面等に取り付けられている室内機（図示せず）と冷媒連絡配管（図示せず）を介して接続されている。尚、以下の説明においては、「上」、「下」、「左」、「右」、「鉛直」、「水平」等の方向を示す表現を適宜用いているが、これらは、室外機１が図１の状態で設置された状態での各方向を表す。また、室外機１について「正面」は、ファングリル２１ａ，２１ｂが配置されている面を表し、「背面」は、「正面」に対向する面を表すものとする。
【００２６】
室外機１は、図１〜図３に示すように、主として、ケーシング２、仕切板２６、室外熱交換器４１、四路切換弁４２、圧縮機４３、ＩＨヒータユニット４５、送風ファン４６ａ，４６ｂ、電装品ユニット５及び放熱フィン７を備える。
【００２７】
（１−１）ケーシング
ケーシング２は、図１に示されるように、略直方体の形状を有しており、板金及び樹脂によって形成されている。そして、ケーシング２は、図２に示すように、底板２０、左前側板２１、右前板２２、右側板２３、背面グリル２４、及び天板２５で構成される。
【００２８】
底板２０は、ケーシング２の下面部分を構成する略直方形状の金属製の板状部材である。底板２０の周縁部は、上向きに折り曲げられている。底板２０の上面には、圧縮機４３から吐出されたガス冷媒が流れるためのガス冷媒用配管２０ａが配置されている。また、底板２０の下面には、現地据付面に固定される２つの固定脚２０ｂ，２０ｃが設けられている。
【００２９】
左前側板２１は、主にケーシング２の左側部分を構成する金属製の板状部材である。左前側板２１は、上面視において略Ｌ字形状に形成されており、室外機１の左側面から正面の左側部分にかけて配置され、底板２０から天板２５まで延びている。左前側板２１のうち、室外機１の正面を構成する部分には、円の形状を有する吹き出し口（図示せず）が上下方向に並んで２つ形成され、各吹き出し口を覆うようにしてファングリル２１ａ，２１ｂがそれぞれ取り付けられている。尚、吹き出し口は、送風ファン４６ａ，４６ｂによってケーシング２の背面側及び左側面側から内部に取り込まれた空気を外部に排出するための開口である。
【００３０】
右前板２２は、主にケーシング２の正面右側を構成する金属製の板状部材である。より具体的には、右前板２２は、上面視において略Ｌ字形状に形成されており、室外機１の右側面の一部分から正面の右側部分にかけて配置され、底板２０から天板２５まで延びている。つまり、左前側板２１と右前板２２とで、ケーシング２の正面が構成される。
【００３１】
特に、本実施形態に係る右前板２２には、２つの開口２２ａ，２２ｂが形成されている。２つの開口２２ａ，２２ｂのうち、上側に位置する開口２２ａは、外気をケーシング２内部に取り込むための開口であって、後述する放熱フィン７によって決定された位置に設けられている。以下、この開口２２ａを、外気取り込み用開口（第１開口に相当）という。尚、外気取り込み用開口２２ａの位置関係については、「（１−９）放熱フィン」で説明する。そして、外気取り込み用開口２２ａよりも下方に位置する開口２２ｂは、室外機１と室内機（図示せず）とを繋ぐ冷媒連絡配管が通るための開口である。以下、この開口２２ｂを、配管用開口という。配管用開口２２ｂは、右前板２２の前端付近かつ側端付近であって、底板２０付近に形成されている。
【００３２】
右側板２３は、主に、ケーシング２の右側面のうち、右前板２２により構成される部分を除く残りの部分と、背面の一部とを構成する金属性の板状部材である。右側板２３は、底板２０から天板２５まで延びており、上面視において略Ｌ字形状に形成されている。
【００３３】
背面グリル２４は、主にケーシング２の背面を構成している。具体的に、背面グリル２４は、右側板２３で構成される部分を除く残りの部分（具体的には、ケーシング２の背面の左寄りの部分）を構成しており、底板２０から天板２５まで延びている。背面グリル２４は、ポリプロピレン樹脂で形成されている。
【００３４】
天板２５は、ケーシング２の上面を構成する略直方形状の金属製の板状部材である。天板２５の周縁部分は、左前側板２１、右前板２２、右側板２３及び背面グリル２４の各上端部と係合可能な形状を有している。
【００３５】
（１−２）仕切板
仕切板２６は、ケーシング２の底板２０から天板２５に至るまで略鉛直に延びており、上面視において弧状の形状を有している。仕切板２６は、図３に示すように、ケーシング２内部を機械室Ｓｑ１と送風室Ｓｑ２とに分割するようにしてケーシング２内に設けられている。機械室Ｓｑ１には、四路切換弁４２、圧縮機４３、ＩＨヒータユニット４５、電装品ユニット５及び放熱フィン７が設置され、送風室Ｓｑ２には、室外熱交換器４１及び送風ファン４６ａ，４６ｂが設置されている。
【００３６】
そして、仕切板２６の上部には、通気口２６ａ（第２開口に相当）が形成されている。通気口２６ａは、機械室Ｓｑ１から送風室Ｓｑ２へと流れる空気が通過するための開口であって、ラビリンス構造を有している。尚、通気口２６ａを通過する空気の流れについては、「（１−９）放熱フィン」の“〔外気の経路〕”で説明する。更に、仕切板２６には、図４に示されるように、電装品ユニット５の一部が送風室Ｓｑ２側に露出されるための電装品ユニット用開口２６ｃが形成されている。本実施形態では、電装品ユニット用開口２６ｃは、仕切板２６の約半分の高さ位置よりも上部であって、かつ通気口２６ａよりも下部に形成されている（図３）。
【００３７】
（１−３）室外熱交換器
室外熱交換器４１は、ケーシング２の背面側及び左側面側からケーシング２内に吸い込まれてきた空気と熱交換を行うためのものである。室外熱交換器４１は、図２に示すように略Ｌ字状の形状を有しており、図３に示すように、ケーシング２の左側面から背面に沿うように配置されている。このような室外熱交換器４１は、長手方向両端で複数回折り返されてなる伝熱管（図示せず）と、伝熱管が挿通される複数のフィンを含むフィン部分（図示せず）とを有する。伝熱管は、配管（図示せず）と接続されており、伝熱管の内部には、該配管内を流れる冷媒が流れている。
【００３８】
（１−４）四路切換弁
四路切換弁４２は、冷媒の流れ方向を切り換えるためのものである。四路切換弁４２は、ＩＨヒータユニット４５の上方かつ電装品ユニット５の上方に位置している。四路切換弁４２は、冷房運転時には、室外熱交換器４１を圧縮機４３により圧縮された冷媒の冷却器として機能させるべく、圧縮機４３の吐出側と室外熱交換器４１の一端とを接続すると共に、圧縮機４３の吸入側と冷媒連絡配管（図示せず）とを接続する。また、四路切換弁４２は、暖房運転時には、室外熱交換器４１を室内熱交換器（図示せず）において冷却された冷媒の加熱器として機能させるべく、圧縮機４３の吐出側と冷媒連絡配管（図示せず）とを接続すると共に、圧縮機４３の吸入側と室外熱交換器４１の一端とを接続する。
【００３９】
（１−５）圧縮機
圧縮機４３は、冷媒を圧縮するためのものであって、図示しない圧縮機用モータによって駆動される。圧縮機４３は、図３に示すように、機械室Ｓｑ１内に配置されている。より具体的には、圧縮機４３は、機械室Ｓｑ１内のうち、仕切板２６の近傍であって、かつ電装品ユニット５の下側に配置されている。また、圧縮機４３の横には、アキュムレータ４４が位置している。
【００４０】
（１−６）ＩＨヒータユニット
ＩＨヒータユニット４５は、主として電磁誘導コイルで構成されており、機械室Ｓｑ１におけるアキュムレータ４４の上部に位置している。ＩＨヒータユニット４５は、配管を介してアキュムレータ４４及び四路切換弁４２と接続されている。ＩＨヒータユニット４５は、冷媒を素早く加熱する運転時にのみオンする。ここで、冷媒を素早く加熱する運転時としては、運転開始時や、室外熱交換器４１に付着した霜を取り除くデフロスト運転時が挙げられる。
【００４１】
（１−７）送風ファン
送風ファン４６ａ，４６ｂは、送風室Ｓｑ２内の空気を室外機１の外部に送るためのものである。送風ファン４６ａ，４６ｂは、図２に示されるように、上下方向に並ぶにようにして２基設けられている。より具体的には、各送風ファン４６ａ，４６ｂは、３枚の翼を有するプロペラファンであって、ケーシング２の左前側板２１に上下方向に並んで形成された各吹き出し口に対応するようにして配置されている。各送風ファン４６ａ，４６ｂの回転軸には、各送風ファン４６ａ，４６ｂの回転駆動源として機能するファンモータ（図示せず）の出力軸がそれぞれ連結されている。そのため、各ファンモータが回転すると、各送風ファン４６ａ，４６ｂは、各ファンモータの回転が回転軸に伝達されることにより回転することができる。
【００４２】
（１−８）電装品ユニット
電装品ユニット５は、機械室Ｓｑ１内の、圧縮機４３の上側に配置されており、複数の電装品を収納している。電装品ユニット５は、図３及び図４に示されるように、主として、第１制御基板５１（制御基板に相当）及び第２制御基板５２を有する。
【００４３】
〔第１制御基板〕
第１制御基板５１は、ケーシング２の略正面（具体的には、ケーシング２の右前板２２の正面側部分）に沿って略鉛直方向に延びるようにして設けられている。第１制御基板５１は、ＩＨヒータユニット４５、即ち電磁誘導コイルの制御用基板であって、ＩＨヒータユニット４５のオン及びオフ等を制御する制御回路の他、該制御回路に供給される電源生成用の電源回路等を構成する複数の電装品が実装されている。特に、電源回路を構成する電装品には、パワートランジスタ等の発熱部品が含まれており、第１制御基板５１には、電装品全てがケーシング２の正面側の面（以下、第１制御基板５１の表面という）のみに実装されている。つまり、第１制御基板５１には、第１制御基板５１の片面にのみ電装品が実装されている。
【００４４】
また、第１制御基板５１とケーシング２の正面との間には、絶縁シート６１が設けられている。絶縁シート６１は、ケーシング２の正面に沿って略鉛直に延びている。より具体的には、絶縁シート６１は、第１制御基板５１の上部に設けられている天板のうち、ケーシング２の正面側の端部と連結され、該端部から下方に向かって第１制御基板５１及び端子台６０を覆っている。この絶縁シート６１により、第１制御基板５１において発生した熱や電流等は、ケーシング２に伝導しにくくなる。尚、絶縁シート６１の材質としては、ポリプロピレン等が挙げられる。
【００４５】
〔第２制御基板〕
第２制御基板５２は、仕切板２６に沿うようにして略鉛直に延びて配置されている。つまり、第２制御基板５２は、上面視において第１制御基板５１に対し所定の角度傾斜するようにして配置されている。この第２制御基板５２には、ＩＨヒータユニット４５以外の機器、具体的には圧縮機用モータ、四路切換弁４２、ファンモータ等の制御回路を構成する複数の電装品が実装されている。複数の電装品は、第２制御基板５２のうち、仕切板２６側の面とは反対側の面、即ち第１制御基板５１側の面に実装されている。つまり、第１制御基板５１と同様、第２制御基板５２には、第２制御基板５２の片面にのみ電装品が実装されている。
【００４６】
（１−９）放熱フィン
放熱フィン７は、第１制御基板５１上に実装されている発熱部品によって発せられた熱を放熱するためのものであって、該発熱部品に近接して配置されている。放熱フィン７は、例えば図４に示されるように、第１制御基板５１における電装品の実装面上に取り付けられている。また、電装品ユニット５及び放熱フィン７がケーシング２内に収納されている際には、放熱フィン７は、図５に示されるように、機械室Ｓｑ１においてケーシング２の前端付近かつ側端付近に位置している。つまり、放熱フィン７は、正面視においてケーシング２の右端部付近、更にはアキュムレータ４４の上方に位置している。
【００４７】
次に、放熱フィン７とケーシング２の外気取り込み用開口２２ａとの位置関係について説明する。本実施形態では、外気取り込み用開口２２ａは、図１及び図５に示されるように、ケーシング２のうち、放熱フィン７に対応する位置よりも下部であって、更には機械室Ｓｑ１に対応するケーシング２の部分の前端付近かつ側端付近に形成されている。より具体的には、本実施形態に係る外気取り込み用開口２２ａは、配管用開口２２ｂの上方かつ配管用開口２２ｂ付近に、スリット状に設けられている。つまり、放熱フィン７は、ケーシング２の外気取り込み用開口２２ａの上方に位置していることになる。
【００４８】
〔外気の経路〕
次に、上記構成を有する室外機１の機械室Ｓｑ１内部に取り込まれた外気の経路について、図５を用いて説明する。
【００４９】
先ず、機械室Ｓｑ１に対応するケーシング２の部分（具体的には、右前板２２）に形成されている配管用開口２２ｂには、冷媒連絡配管が通っているが、該配管と配管用開口２２ｂとの間には隙間がある。外気は、この隙間を介してケーシング２の内部に取り込まれ、図５の矢印Ｕ１に示されるように、機械室Ｓｑ１の下方から上方へと流れる。この時、外気は、第１制御基板５１に取り付けられた放熱フィン７付近の空気と混ざり、やがて仕切板２６の上部に形成された通気口２６ａを通って送風室Ｓｑ２へと送られる。
【００５０】
更に、機械室Ｓｑ１に対応するケーシング２の部分（具体的には、右前板２２）に形成された外気取り込み用開口２２ａからも、外気が取り込まれる。この外気は、矢印Ｕ１と同様、機械室Ｓｑ１の上方へと流れる（図５の矢印Ｕ２）。そして、この外気は、外気取り込み用開口２２ａの上方に位置する放熱フィン７付近の空気と混ざり、やがて通気口２６ａを通って送風室Ｓｑ２へと送られる。
【００５１】
即ち、発熱部品により発せられ放熱フィン７によって放熱された熱は、配管用開口２２ｂ及び外気取り込み用開口２２ａから取り込まれた外気により、送風室Ｓｑ２へと送られる。従って、放熱フィン７が送風室Ｓｑ２側に突出していない構成であっても、機械室Ｓｑ１内部に熱がこもることを抑制することができる。
【００５２】
（２）効果
（Ａ）
本実施形態に係る空気調和装置の室外機１によると、発熱部品が実装された第１制御基板５１は、ケーシング２の略正面に沿うようにして配置されており、放熱フィン７は、発熱部品の近傍に配置されている。そして、ケーシング２には、放熱フィン７に対応する位置よりも低い高さ位置に外気取り込み用開口２２ａが形成されている。これにより、発熱部品によって発せられた熱は、放熱フィン７によって放熱されるが、この熱は、外気取り込み用開口２２ａからケーシング２内部に取り入れられた外気によって冷やされる。従って、放熱フィン７付近の温度は外気によって下げられ、発熱部品により発せられた熱が第１制御基板５１上の他の電装品に悪影響を及ぼすのを防ぐことができる。
【００５３】
（Ｂ）
また、この空気調和装置の室外機１には、電磁誘導コイルを備えるＩＨヒータユニット４５が更に備えられており、ＩＨヒータユニット４５は、冷媒を素早く加熱するのに用いられる。そのため、ＩＨヒータユニット４５は、常にオンしているのではなく、冷媒を加熱する際のみオンする。つまり、ＩＨヒータユニット４５の制御用基板である第１制御基板５１に実装されている発熱部品は、常に発熱するわけではなく、該ユニット４５がオンする場合にのみ発熱するようになる。従って、第１制御基板５１が、仕切板２６に沿ってではなくケーシング２の正面に沿って配置されていても、第１制御基板５１に近接配置された放熱フィン７及びケーシング２の外気取り込み用開口２２ａによって熱が機械室Ｓｑ１内部にこもるのを十分に防ぐことができる。
【００５４】
（Ｃ）
また、この空気調和装置の室外機１によると、放熱フィン６及び外気取り込み用開口２２ａは、共にケーシング２における機械室Ｓｑ１の前端付近かつ側端付近に位置している。これにより、ケーシング２における前端付近かつ側端付近に位置する外気取り込み用開口２２ａからは外気が取り入れられ、この外気は、同じくケーシング２における前端付近かつ側端付近に位置する放熱フィン７に送られる。
【００５５】
（Ｄ）
また、この空気調和装置の室外機１によると、第１制御基板５１とケーシング２の正面との間には、絶縁シート６１が設けられている。しかし、外気取り込み用開口２２ａ及び放熱フィン７は、共にケーシング２における機械室Ｓ１の前端付近かつ側端付近に位置しているため、外気は、絶縁シート６１により妨げられることなくケーシング２内に取り入られる。
【００５６】
（Ｅ）
また、この空気調和装置の室外機１によると、ケーシング２の外気取り込み用開口２２ａから取り入られた外気は、放熱フィン７により放熱された熱と混ざった後、仕切板２６の通気口２６ａを通って機械室Ｓｑ１から送風室Ｓｑ２へと送られるようになる。
【００５７】
＜その他の実施形態＞
（ａ）
上記実施形態（ａ）では、外気取り込み用開口２２ａが、図１及び図５に示されるような箇所に位置している場合を例に取り説明した。しかし、外気取り込み用開口２２ａは、ケーシング２のうち、放熱フィン７に対応する位置より下部に位置すればよく、図１及び図５に示された位置に限定されない
また、ケーシング２が、図６に示されるように、配管用開口２２ｂを覆う配管カバー２２ｃを有している場合には、外気取り込み用開口２２ａは、配管カバー２２ｃに設けられていても良い。配管カバー２２ｃは、放熱フィン７の下方かつ底板２０付近に配置されている。より具体的には、配管カバー２２ｃは、室外機１の前端付近かつ側端付近であって、かつ底板２０付近に設けられており、外気取り込み用開口２２ａは、配管カバー２２ｃにスリット状に形成されている。この場合、外気は、配管カバー２２ｃの外気取り込み用開口２２ａからケーシング２内部に取り込まれ、機械室Ｓｐ１を下方から上方へ移動した後、仕切板２６の通気口２６ａから送風室Ｓｐ２へと送られるようになる。
【００５８】
（ｂ）
上記実施形態（ｂ）では、ケーシング２に外気取り込み用開口２２ａが形成され、仕切板２６の上部に通気口２６ａが設けられている場合を例に取り説明した。しかし、ケーシング２には外気取り込み用開口２２ａが形成されているが、仕切板２６には通気口２６ａが形成されていなくともよい。例えば、ＩＨヒータユニット４５がオンしている時間が比較的短い場合には、外気取り込み用２２ａから外気が取り込まれ、該外気によって放熱フィン７が放熱した熱が十分に冷やされる場合には、仕切板２６に通気口２６ａを設けずとも良い。
【産業上の利用可能性】
【００５９】
本発明に係る室外機は、発熱部品により発せられた熱が第１制御基板上の他の電装品に悪影響を及ぼすのを防ぐことができるという効果を有し、空気調和装置の室外機に搭載される電装品ユニットとして適用することができる。
【図面の簡単な説明】
【００６０】
【図１】本実施形態に係る空気調和装置の室外機の外観斜視図。
【図２】本実施形態に係る空気調和装置の室外機の分解斜視図。
【図３】ケーシングの右前板、右側板、背面グリル及び天板が取り除かれた状態の、室外機の斜視図。
【図４】仕切板の一部分と、この仕切板の部分に取り付けられる電装品ユニット及び板状部材を示す図。
【図５】放熱フィン及び外気取り込み用開口の位置と共に、外気の経路を説明するための図。
【図６】その他の実施形態（ａ）に係る空気調和装置の室外機の外観斜視図であって、スリット状の外気取り込み用開口が配管カバーに形成されている例を示す図。
【符号の説明】
【００６１】
１  室外機
２  ケーシング
２０  底板
２１  左前側板
２１ａ，２１ｂ  ファングリル
２２  右前板
２２ａ  外気取り込み用開口（第１開口）
２２ｂ  配管用開口
２２ｃ  配管カバー
２３  右側板
２４  背面グリル
２５  天板
２６  仕切板
２６ａ  通気口（第２開口）
２６ｃ  電装品ユニット用開口
４１  室外熱交換器
４２  四路切換弁
４３  圧縮機
４４  アキュムレータ
４５  ＩＨヒータユニット
４６ａ，４６ｂ  送風ファン
５  電装品ユニット
５１  第１制御基板（制御基板）
５２  第２制御基板
６１  絶縁シート
７  放熱フィン
Ｓｑ１  機械室
Ｓｑ２  送風室
Ｕ１，Ｕ２  外気の経路
【図１】
2010071534.tif 000003
【図２】
2010071534.tif 000004
【図３】
2010071534.tif 000005
【図４】
2010071534.tif 000006
【図５】
2010071534.tif 000007
【図６】
2010071534.tif 000008